(57)【要約】【課題】外気温度が著しく低下した場合でも、不快感のない換気ができ、吹きだし口付近に結露が生じず、また、同一換気空間内で場所によっては冷房と暖房が同時に要求された場合でも不快感とならない換気吸気温度を実現する。【解決手段】集中リモコン２０を設け、共通の空間７ａ、７ｂに対応する空気調和装置と外気調和装置の関係を記憶する記憶手段２１と、外気温度情報受信手段２２と、外気判定温度入力手段２３と、空気調和装置運転モード受信手段２４と、外気調和装置運転モード決定手段２５とを備える。空気調和装置の室内機２ａ、２ｂと外気調和装置の室内機２ｄは共通の空間７ａの空気調和を行ない、また、空気調和装置の室内機２ｃと外気調和装置の室内機２ｅは共通の空間７ｂの空気調和を行なう。【選択図】        図１
2004293810.tif 000002
【特許請求の範囲】
【請求項１】
室内側から吸気し室外側へ排気する室内機と室外機とが冷媒配管で連通して成る単一または複数の空気調和装置と、室外側から吸気し室内側へ排気する外気調和機と室外機とが冷媒配管で連通して成る単一または複数の外気調和装置と、前記空気調和装置と前記外気調和機とを制御する集中リモコンとが、それぞれ相互に情報を伝送する伝送手段を備え、伝送媒体を介して情報の交換を行なう空気調和システムにおいて、
前記集中リモコンは、
共通の空間に対応する前記空気調和装置と前記外気調和装置との関係を記憶する記憶手段と、
外気温度に関する情報を得る外気温度受信手段と、
前記空気調和装置の運転モードの情報を得る空気調和装置運転モード受信手段と、
外気の温度範囲を判定するための温度を設定する外気判定温度入力手段と、
前記外気調和装置の運転モードを決定する外気調和装置運転モード決定手段と
を備えたことを特徴とする空気調和システム。
【請求項２】
室内側から吸気し室外側へ排気する室内機と室外機とが冷媒配管で連通して成る単一または複数の空気調和装置と、室外側から吸気し室内側へ排気する外気調和機と室外機とが冷媒配管で連通して成る単一または複数の外気調和装置と、前記空気調和装置と前記外気調和機とを制御する集中リモコンとが、それぞれ相互に情報を伝送する伝送手段を備え、伝送媒体を介して情報の交換を行なう空気調和システムにおいて、
集中リモコンは、
共通の空間に対応する前記空気調和装置と前記外気調和装置との関係を記憶する記憶手段と、
外気温度に関する情報を得る外気温度情報受信手段と、
室内温度に関する情報を得る室内温度情報受信手段と、
外気の温度範囲を判定するための温度を設定する外気判定温度入力手段と、
室内の温度範囲を判定するための温度を設定する室内判定温度入力手段と、
前記外気調和装置の運転モードを決定する外気調和装置運転モード決定手段とを備えたことを特徴とする空気調和システム。
【請求項３】
外気温度情報受信手段により得た外気温度が、外気判定温度入力手段により設定された外気判定温度より低くなった場合、外気調和装置運転モード決定手段は暖房運転モードを決定することを特徴とする請求項１または請求項２記載の空気調和システム。
【請求項４】
室外機に伝送手段と外気温度センサとを備え、集中リモコンとは伝送媒体を介して接続したことを特徴とする請求項１から請求項３のうちのいずれか１項記載の空気調和システム。
【請求項５】
少なくとも一部の空気調和装置と外気調和装置とは、共通の冷房暖房同時運転型室外機と連通することを特徴とする請求項１から請求項４のうちのいずれか１項記載の空気調和システム。
【発明の詳細な説明】
【０００１】
【発明の属する技術分野】
本発明は、空気調和システムのシステム構成およびシステム制御に関するものである。
【０００２】
【従来の技術】
従来の空気調和装置は吸気ファン、排気ファン、加熱または冷却する冷暖房機、室外気温センサ、室内気温センサ、運転モードおよび制御モードを操作設定するコントローラ等を備えて構成されている。制御モードは、室外温度または室内温度を選択するものであり、設定温度との差異および運転モードに従い冷暖房機をＯＮ／ＯＦＦ制御する（例えば、特許文献１参照）。
【０００３】
【特許文献１】
特開２００１−１９３９８９
【０００４】
【発明が解決しようとする課題】
従来の空気調和装置は上記のように構成していたので、つぎのような問題があった。
【０００５】
まず、オフィスビル等では、全ての空気調和装置が外気を取り入れることは、空調負荷の増大を招くため通常行なわれず、外気を取り入れない形態の空気調和装置と併用される。外気を取り入れない空気調和装置が冷房暖房自動切換え型で、早朝は暖房、昼間は冷房に切り替わった場合でも、従来の空気調和装置は自らのコントローラで設定された運転モードのままで運転されることになる。従って例えば、室内は冷房を要求しているのに従来の空気調和装置は暖房加熱し、またはその逆が発生し、不快感を与え、さらにはエネルギーの無駄が発生していた。
【０００６】
また、外気温度が低い冬季の昼間でも、在室人員、ＯＡ機器、照明等の熱および日照により室内は冷房運転が必要となる場合がある。従来の空気調和装置のコントローラで冷房を設定すると冷気による不快感および結露の問題が生じていた。一方、暖房に設定した場合でも、室内気温度制御モードを選択すると、室内が冷房を必要とする状態の場合は冷房運転となり、同じく冷気による不快感を与え、また結露が生じることとなる。
【０００７】
また、外気温度を計測するために、空気調和装置それぞれに外気温度検出手段を設けることはコスト上昇の要因となることもあり、ビル全体で１箇所に外気温度の計測手段を設けている。一方、室内気温度を計測するために、温度検出手段を空気調和装置内に設けている。しかしながら窓側、部屋中央部では室内温度が異なるため、例えば空気調和装置の吸い込み口の近傍に温度検出手段が設けられている場合は、窓側が暖房を要求、部屋中央部が冷房を要求することが生じ、いずれかが不快となる問題があった。
【０００８】
さらに、外気導入型空気調和装置と非外気導入型空気調和装置の熱源機は異なるため、前者が暖房、後者が冷房運転の場合でも熱回収されずエネルギーの節約はできないという問題があった。
【０００９】
本発明は上述した問題を解決するためになされたもので、外気温度が著しく低下した場合でも、不快感のない換気ができ、吹きだし口付近に結露が生じなく、また、外気温度検出手段は低コストで実現でき、同一換気空間内で場所によっては冷房と暖房が同時に要求された場合でも不快感とならない換気吸気温度を実現し、さらに、換気装置が供給する空間に複数の空気調和装置が存在する場合、間仕切り変更に容易に対応でき、換気装置が暖房、空気調和装置が冷房運転の場合には熱回収されエネルギーを節約できる空気調和システムを得ることを目的とする。
【００１０】
【課題を解決するための手段】
この発明に係る空気調和システムは、室内側から吸気し、室外側へ排気する室内機と室外機が冷媒配管で連通して成る単一または複数の空気調和装置と、室外側から吸気し、室内側へ排気する外気調和機と室外機が冷媒配管で連通して成る単一または複数の外気調和装置と、集中リモコンとが、それぞれ伝送手段を備え、伝送媒体を介して情報交換を行なう空気調和システムにおいて、集中リモコンは共通の空間に対応する空気調和装置と外気調和装置の関係を記憶する記憶手段と、外気温度情報受信手段と、空気調和装置運転モード受信手段と、外気判定温度入力手段と、外気調和装置運転モード決定手段とを備え、集中リモコンにより温度条件にしたがってシステムを制御するものである。
【００１１】
【発明の実施の形態】
以下、本発明の実施の一形態について図を参照して詳細に説明する。
実施の形態１．
まず、実施の形態１に係る空気調和システムについて図１から図６を参照して説明する。なお、図１は本発明の実施の形態１に係る空気調和システム１００の構成を示すブロック図であり、図２は共通の空間に対応する空気調和装置と外気調和装置の関係表であり、図３から図５は空気調和システムの動作フローチャートであり、図６は外気調和装置の運転モード決定表である。
【００１２】
図１に示すように空気調和システム１００は、空気調和装置の室外機１ａ、１ｂ、１ｃと、空気調和装置の室内機２ａ、２ｂ、２ｃと、室外機１ａ、１ｂ、１ｃと室内機２ａ、２ｂ、２ｃとを連通する冷媒配管１３ａ、１３ｂ、１３ｃと、熱交換器３ａ、３ｂ、３ｃと、ファン４ａ、４ｂ、４ｃと、制御器５ａ、５ｂ、５ｃとを備え、また、外気調和装置の室外機１ｄ、１ｅと、外気調和装置の室内機２ｄ、２ｅと、室外機１ｄ、１ｅと室内機２ｄ、２ｅとを連通する冷媒配管１３ｄ、１３ｅと、熱交換器３ｄ、３ｅと、ファン４ｄ、４ｅと、制御器５ｄ、５ｅとを備え、さらに、外気温度センサ９と、外気温度センサ９の出力から外気温度を計測する外気温度計測器１０と、空気調和装置の室内機２ａ、２ｂ、２ｃに対して運転設定操作を行なうリモートコントローラ１５ａ、１５ｂ、１５ｃと、システム全体の制御を行なう集中リモコン２０を備えて構成されている。
【００１３】
ここで制御器５ａ、５ｂ、５ｃ、５ｄ、５ｅ、リモートコントローラ１５ａ、１５ｂ、１５ｃ、外気温度計測器１０および集中リモコン２０は伝送媒体８を介して連結され情報の伝達を行なう。それぞれの機器は図示しないアドレススイッチにより設定された通信識別番号を有している。例えば室外機１ａはアドレス（６ａ）、室外機１ｂはアドレス（６ｂ）・・・集中リモコン２０はアドレス（６ｊ）等であり、これらのアドレスによって通信相手を識別する。
【００１４】
外気温度計測器１０は外気温度センサ９を有しており外気温度を計測し、伝送媒体８を介して集中リモコン２０へ情報伝達する。また、リモートコントローラ１５ａ、１５ｂ、１５ｃはそれぞれ室内機２ａ、２ｂ，２ｃに対する運転設定操作を行なう。
【００１５】
集中リモコン２０は、共通の空間７ａ、７ｂに対応する空気調和装置と外気調和装置の関係を記憶する記憶手段２１と、外気温度情報受信手段２２と、外気判定温度入力手段２３と、空気調和装置運転モード受信手段２４と、外気調和装置運転モード決定手段２５とを備えている。空気調和装置の室内機２ａ、２ｂと外気調和装置の室内機２ｄは共通の空間７ａの空気調和を行なっている。また、空気調和装置の室内機２ｃと外気調和装置の室内機２ｅは共通の空間７ｂの空気調和を行なっている。
【００１６】
記憶手段２１には図２に示すように、空間７ａに対する空気調和を換気系統番号Ａとし、また、空間７ｂに対する空気調和を換気系統番号Ｂとしてそれぞれのアドレス（６ａ）〜（６ｅ）の関係を記憶手段２１に記憶している。換気系統がさらに多くても同様であり、空気調和装置、外気調和装置がさらに多くても同様である。
なお、図中の矢印は気体の流れを示す。
【００１７】
次に空気調和システム１００の動作について説明する。
まず、図３は換気系統の設定の手順を示すフローチャートであって、例えば換気系統番号Ａを選択して記憶し（ステップＳＴ１０１）、次に換気系統番号Ａに係わる外気調和装置アドレス（例えば６ｄ）を選択して記憶する（ステップＳＴ１０２）。換気系統番号Ａに係わる全ての外気調和装置のアドレスを選択して記憶したか否かを判別し（ステップＳＴ１０３）、全ての外気調和装置のアドレスを選択し記憶した後、空気調和装置アドレス（例えば６ａ）を選択して記憶する（ステップＳＴ１０４）。換気系統番号Ａに係わる全ての空気調和装置のアドレスを選択して記憶したか否かを判別し（ステップＳＴ１０５）、全ての空気調和装置のアドレスを選択し記憶した後、換気系統番号の全てにおいて上述した作業を行なったか否かを判別し（ステップＳＴ１０６）、他に換気系統番号、例え換気系統番号Ｂがあればこれを選択して、ステップＳＴ１０１からステップＳＴ１０５の作業を行なう。換気系統番号の全てにおいて上述した作業が行なわれた後、換気系統の設定は終了する。
【００１８】
上述した過程で選択された換気系統番号、外気調和装置アドレス、空気調和装置アドレスは記憶手段２１に記憶される。この結果、図２に示すように換気系統の設定が行なわれる。なお、換気系統の設定の手順は上述した流れに限ることなく、同様の設定が可能な如何なる手順で行なわれてもよいものである。
【００１９】
つぎに、外気調和装置の運転モードの設定について説明する。まず、外気判定温度の設定を図４に示すフローチャートの手順で行なう。ステップＳＴ２０１において第一の外気判定温度、例えば１０℃を設定し、ステップＳＴ２０２において第二の外気判定温度、例えば２０℃を設定する。これらの設定は集中リモコン２０で行なわれる。
【００２０】
つぎに、外気調和装置の運転モードの決定を図５のフローチャートの手順で行なう。まず、空気調和装置運転モードをモニタし（ステップＳＴ３０１）、外気温度をモニタし（ステップＳＴ３０２）、前述したように設定された第一の外気判定温度および第二の外気判定温度をパラメータとして、モニタされる外気温度によって運転モードを決定する（ステップＳＴ３０３）。また、決定した運転モードを外気調和装置へ送信する（ステップＳＴ３０４）。
【００２１】
上述したようにして決定される外気調和装置の運転モードの具体的な例について図６を参照して説明する。この場合、第一の外気判定温度は１０℃に、第二の外気判定温度は２０℃に設定されているものとする。
【００２２】
まず、同一換気系統内の空気調和装置運転モードが全て冷房であった時、外気温度が１０℃未満の場合、外気調和装置の運転モードは「暖房」に設定される。外気温度が１０℃〜２０℃の場合は「送風」に、また、２０℃以上の場合は「冷房」に設定される。同様に空気調和装置運転モードが全て暖房であった時、外気温度が１０℃未満の場合、外気調和装置の運転モードは「暖房」に、外気温度が１０℃〜２０℃の場合も「暖房」に、また、２０℃以上の場合は「送風」に設定される。また同様に空気調和装置運転モードが冷房、暖房が混在する時、外気温度が１０℃未満の場合、外気調和装置の運転モードは「暖房」に、外気温度が１０℃〜２０℃の場合は「送風」に、また、２０℃以上の場合も「送風」に設定される。
【００２３】
以上、説明したように本実施の形態の空気調和システム１００によれば、外気温度が低い冬季の昼間でも、在室人員、ＯＡ機器、照明等の熱および日照により冷房運転が必要となる場合があるが、このとき空気調和装置の運転モードが冷房であっても外気温度が第一の外気判定温度未満の場合、外気調和装置の運転モードを暖房運転とするので、室外の未処理の冷気がそのまま導入される不快感および結露の問題は回避される。
【００２４】
また、部屋中央部は暑く冷房が必要な状態であっても、窓側は低外気の影響を受け１日中暖房が必要で、同一空間内で冷房と暖房の必要性が混在する場合がある。このとき空気調和装置の運転モードが冷房であっても、外気温度が第一の外気判定温度未満の場合は外気調和装置の運転モードを暖房運転とするが、設定温度以上の場合は外気調和装置の運転モードを送風運転とし、冷房が必要な部屋中央部の暖めすぎを防止しつつ換気を継続する。
【００２５】
また、集中リモコンに、共通の空間に対応する空気調和装置と外気調和装置の関係を記憶する記憶手段を設けたので、間仕切り変更等で上記関係が変更された場合でも容易に対応することが可能となる。
【００２６】
また、集中リモコンに外気温度情報受信手段を設けたので、集中リモコンと伝送媒体で接続された任意の手段から外気温度を得ることができる。従って外気温度センサを備えた外気温度計測器または室外機を受信相手として選択することができる。前者を選択した場合は高精度な外気温度を得ることが可能であり、一方、後者を選択した場合は外気温度計測器が不要となるので低コストでの実現が可能となる。
【００２７】
さらに、集中リモコンに外気判定温度入力手段を設けたので、外気判定温度をユーザの感性に応じて容易に変更することが可能となる。
【００２８】
実施の形態２．
実施の形態２に係る空気調和システムについて図７から図１０を参照して説明する。ここで図７は本発明の実施の形態２に係る空気調和システム２００の構成を示すブロック図であり、図８および図９は空気調和システム２００の動作フローチャートであり、図１０は外気調和装置の運転モード決定表である。
【００２９】
図７に示すように空気調和システム２００は、空気調和装置の室内機２ａ，２ｂ，２ｃにはそれぞれ室温センサ３０ａ，３０ｂ，３０ｃを備え、また、集中リモコン２０は、室内温度情報受信手段２６、室温判定温度入力手段２７を備えることで実施の形態１の空気調和システム１００とは異なる。その他の構成、動作は上述した実施の形態１と同様であり、それらの説明は省略する。なお、実施の形態１のリモートコントローラ１５ａ、１５ｂ、１５ｃは不要となる。
【００３０】
室内機２ａ，２ｂ，２ｃに備わる制御器５ａ，５ｂ，５ｃは室温センサ３０ａ，３０ｂ，３０ｃが検知した室温情報を、伝送媒体８を介して集中リモコン２０へ伝達する。集中リモコン２０はこれら室温情報に基づいて空気調和装置、外気調和装置の運転制御を行なう。
【００３１】
次に空気調和システム２００の動作について説明する。室温判定温度の設定手順は図８のフローチャートが示すように、まず、例えば第一の室内判定温度を１７℃に設定し（ステップＳＴ４０１）、次に第二の室内判定温度を２８℃に設定する（ステップＳＴ４０２）。また、外気調和装置運転モードの決定手順は図９のフローチャートが示すように、まず、室内温度をモニタし（ステップＳＴ５０１）、次に外気温度をモニタする（ステップＳＴ５０２）。これら室内温度および外気温度に基づいて外気調和装置の運転モードを決定し（ステップＳＴ５０３）、それぞれの外気調和装置に決定された運転モードが送信される（ステップＳＴ５０４）。
【００３２】
つぎに、外気調和装置の運転モードの決定の一例について図１０を参照して説明する。なお、上述したように設定した第一の室内判定温度を１７℃、第二の室内判定温度を２８℃とし、また、実施の形態１で述べたように第一の外気判定温度は１０℃に、第二の外気判定温度は２０℃に設定されているものとする。
【００３３】
まず、室内温度が１７℃未満で、外気温度が１０℃未満であった場合、外気調和装置の運転モードは「暖房」に設定される。外気温度が１０℃〜２０℃の場合も「暖房」に、また、２０℃以上の場合は「送風」に設定される。同様に室内温度が１７℃から２８℃で、外気温度が１０℃未満であった場合、外気調和装置の運転モードは「暖房」に設定され、外気温度が１０℃〜２０℃の場合は「送風」に、また、２０℃以上の場合も「送風」に設定される。また、室内温度が２８℃以上で、外気温度が１０℃未満であった場合、外気調和装置の運転モードは「暖房」に設定され、外気温度が１０℃〜２０℃の場合は「送風」に、また、２０℃以上の場合は「冷房」に設定される。
【００３４】
本実施の形態の空気調和システム２００によると、集中リモコンに室外判定温度入力手段および室内判定温度入力手段を設けたので、室内温度の制御をユーザの感性に応じて最適に設定することが容易に行なわれる。
【００３５】
実施の形態３．
本実施の形態に係る空気調和システムは、図１または図７に示す外気温度情報受信手段２２により得た外気温度が、外気判定温度入力手段２３により設定された外気判定温度未満になった場合、外気調和装置運転モード決定手段２５は外気調和装置の運転モードを「暖房」運転モードに決定するようにしたことを特徴とする。この点を除いて空気調和システムの構成、動作は上述した実施の形態１および実施の形態２と同様であり、それらの説明は省略する。なお、空気調和システム３００のブロック図は図１および図７が適用可能である。
【００３６】
例えば図６および図１０において、外気温度が１０℃未満の場合は、同一換気系統内の外気調和装置運転モードは「暖房」に固定されるものである。したがって本実施の形態の空気調和システム３００によると、空気調和装置の運転モードや室温に関係なく、外気温度が低い場合でも、快適な換気空気温度が得られ、結露を生じる虞はない。
【００３７】
実施の形態４．
つぎに本発明の実施の形態４に係る空気調和システムについて図１１を参照して説明する。ここで図１１は空気調和システム４００の構成を示すブロック図であり、空気調和装置の室外機１ａに外気温度センサ９ａと制御器５０を設けたことを特徴とする。この点を除いて空気調和システムの構成、動作は上述した実施の形態１および実施の形態２と同様であり、それらの説明は省略する。なお、実施の形態１および実施の形態２に備わる外気温度センサ９と外気温度計測器１０は不要となる。
【００３８】
空気調和装置の室外機１ａに設けられた制御器５０は伝送媒体８を介して、室外機１ａに内蔵された外気温度センサ９ａの情報を集中リモコン２０へ伝達する。制御器５０にはアドレス（６ｋ）が付されていて、集中リモコン２０との間の情報交換はこのアドレスに基づいて行なわれる。
【００３９】
集中リモコン２０は、外気温度センサ９ａの情報を受信し、その外気温度情報と集中リモコン２０内に格納してある温度範囲、運転モード等の情報に基づいて、実施の形態１から実施の形態３で説明したように、外気調和装置の運転モードを決定する。決定された運転モードは集中リモコン２０からそれぞれの外気調和装置に伝送媒体８を介して情報が送られ、所定のモードで運転する。
【００４０】
本実施の形態の空気調和システム４００によると、空気調和装置の室外機から外気温度情報を得ることができるので特別な装置を装着する必要がなく、低コストとなる。
【００４１】
なお、上述した実施の形態１から実施の形態４の空気調和システムは、３台の空気調和装置と２台の外気調和装置からなるものについて説明したが、台数はこれらの数に限ることはないことは当然である。
【００４２】
実施の形態５．
つぎに本発明の実施の形態５に係る空気調和システムについて図１２を参照して説明する。ここで図１２は空気調和システム５００の構成を示すブロック図であり、空気調和装置と外気調和装置とを共通の冷房暖房同時運転型室外機と冷媒配管により連通して設けたことを特徴とする。この点を除いて空気調和システムの構成、動作は上述した実施の形態１および実施の形態２と同様であり、それらの説明は省略する。なお、実施の形態１および実施の形態２に備わる室外機１ｂ，１ｄ，１ｅは不要となる。
【００４３】
冷房暖房同時運転型室外機４０ａは、空気調和装置の室内機２ａ，２ｂおよび外気調和装置の室内機２ｄと共通の冷媒配管１３ｆで連結されていて、共通の空間７ａの空気調和を行なっている。また、冷房暖房同時運転型室外機４０ｂは、空気調和装置の室内機２ｃおよび外気調和装置の室内機２ｅと共通の冷媒配管１３ｇで連結されていて、共通の空間７ｂの空気調和を行なっている。なお、共通の空間の空気調和を行う空気調和装置の室内機と外気調和装置の室内機の台数は上述した台数に限ることはない。
【００４４】
上述したように本実施の形態である空気調和システム５００は、冷媒配管により空気調和装置と外気調和装置は、共通の冷房暖房同時運転型室外機と連通している。従って外気温度が低い冬季の昼間でも、在室人員、ＯＡ機器、照明等の熱および日照により室内は冷房運転を必要とする場合があるが、外気調和装置は外気の熱を回収し室内の冷房に利用することができるので消費エネルギーの低減を可能とする。
【００４５】
【発明の効果】
以上のように、この発明によれば、空気調和装置の運転モードが冷房であっても外気温度が所定の外気判定温度未満の場合、外気調和装置の運転モードを暖房運転とするので、室外の未処理の冷気がそのまま導入される不快感および結露の問題は回避される効果がある。
【００４６】
この発明によれば、同一空間内で冷房と暖房の必要性が混在する場合があるが、このとき空気調和装置の運転モードが冷房であっても、外気温度が所定の外気判定温度未満の場合は外気調和装置の運転モードを暖房運転となる、設定温度以上の場合は外気調和装置の運転モードを送風運転とし、冷房が必要な部屋中央部の暖めすぎを防止しつつ換気を継続することができる効果がある。
【００４７】
この発明によれば、集中リモコンに、共通の空間に対応する空気調和装置と外気調和装置の関係を記憶する記憶手段を設けたので、間仕切り変更等で上記関係が変更された場合でも容易に対応することが可能となる効果がある。
【００４８】
この発明によれば、集中リモコンに外気温度情報受信手段を設けたので、集中リモコンと伝送媒体で接続された任意の手段から外気温度を得ることができる。従って外気温度センサを備えた外気温度計測器または室外機を受信相手として選択することができる。前者を選択した場合は高精度な外気温度を得ることが可能であり、一方、後者を選択した場合は外気温度計測器が不要となるので低コストでの実現が可能となる効果がある。
【００４９】
この発明によれば、集中リモコンに外気判定温度入力手段を設けたので、外気判定温度をユーザの感性に応じて容易に変更することが可能となる効果がある。
【図面の簡単な説明】
【図１】本発明の実施の形態１に係る空気調和システムの構成を示すブロック図である。
【図２】本発明の実施の形態１に係る共通の空間に対応する空気調和装置と外気調和装置の関係表である。
【図３】本発明の実施の形態１に係る空気調和システムの動作フローチャートである。
【図４】本発明の実施の形態１に係る空気調和システムの動作フローチャートである。
【図５】本発明の実施の形態１に係る空気調和システムの動作フローチャートである。
【図６】本発明の実施の形態１および３に係る外気調和装置の運転モード決定表である。
【図７】本発明の実施の形態２に係る空気調和システムの構成を示すブロック図である。
【図８】本発明の実施の形態２に係る動作フローチャートである。
【図９】本発明の実施の形態２に係る動作フローチャートである。
【図１０】本発明の実施の形態２および３に係る外気調和装置の運転モード決定表である。
【図１１】本発明の実施の形態４に係る空気調和システムの構成を示すブロック図である。
【図１２】本発明の実施の形態５に係る空気調和システムの構成を示すブロック図である。
【符号の説明】
１ａ，１ｂ，１ｃ，１ｄ，１ｅ  室外機、２ａ，２ｂ，２ｃ，２ｄ，２ｅ  室内機、３ａ，３ｂ，３ｃ，３ｄ，３ｅ  熱交換器、４ａ，４ｂ，４ｃ，４ｄ，４ｅ  ファン、５ａ，５ｂ，５ｃ，５ｄ，５ｅ，５０  制御器、７ａ，７ｂ  共通の空間、８  伝送媒体、９，９ａ  外気温度センサ、１０  外気温度計測器、１３ａ，１３ｂ，１３ｃ，１３ｄ，１３ｅ，１３ｆ，１３ｇ  冷媒配管、１５  リモートコントローラ、２０  集中リモコン、２１  記憶手段、２２  外気温度情報受信手段、２３  外気判定温度入力手段、２４  空気調和装置運転モード受信手段、２５  外気調和装置運転モード決定手段、２６  室内温度情報受信手段、２７  室温判定温度入力手段、３０ａ，３０ｂ，３０ｄ  室温センサ、４０ａ，４０ｂ  冷房暖房同時運転型室外機、１００，２００，３００，４００，５００空気調和システム。
【図１】
2004293810.tif 000003
【図２】
2004293810.tif 000004
【図３】
2004293810.tif 000005
【図４】
2004293810.tif 000006
【図５】
2004293810.tif 000007
【図６】
2004293810.tif 000008
【図７】
2004293810.tif 000009
【図８】
2004293810.tif 000010
【図９】
2004293810.tif 000011
【図１０】
2004293810.tif 000012
【図１１】
2004293810.tif 000013
【図１２】
2004293810.tif 000014